(57)【要約】  構造を簡素化でき、円滑な伸縮動作も確保しやすいバックルを提供する。  ベルト（Ｂ）の両端を連結するバックルであって、プレート状のバックル本体（１０）と、バックル本体（１０）の端部（１１）とベルト（Ｂ）の端部（Ｂ１）との間に介装される伸縮部材（２０）と、伸縮部材（２０）のバックル本体側と反対側の端部（２２）とベルト（Ｂ）の端部（Ｂ１）とを係脱自在に接続する接続部材（３０）と、バックル本体（１０）の表面側に取り付けられ、少なくともバックル本体（１０）およびその両端部（１１）（１１）を覆うカバー（４０）とを備えている
2018042504.tif 000002
【特許請求の範囲】
【請求項１】
ベルト（Ｂ）の両端を連結するバックルであって、
プレート状のバックル本体（１０）と、
このバックル本体（１０）の端部（１１）とベルト（Ｂ）の端部（Ｂ１）との間に介装される伸縮部材（２０）と、
この伸縮部材（２０）のバックル本体側と反対側の端部（２２）とベルト（Ｂ）の端部（Ｂ１）とを係脱自在に接続する接続部材（３０）と、
を備えていることを特徴とするバックル。
【請求項２】
請求項１において、
前記バックル本体（１０）の両端（１１）（１１）に、前記伸縮部材（２０）としての伸縮ベルト（２０）がそれぞれ取り付けられるとともに、
前記バックル本体（１０）の表面側に取り付けられ、少なくともバックル本体（１０）およびその両端部（１１）（１１）を覆うカバー（４０）を備えていることを特徴とするバックル。
【発明の詳細な説明】
【技術分野】
【０００１】
本発明は、バックルに関するものである。特に、伸縮機能を有するバックルに関するものである。
【背景技術】
【０００２】
例えば食前と食後、あるいは立位時と座位時とで、腹囲の増減によりベルトの窮屈さを感じることがある。あまりに窮屈な場合、その都度ベルトの長さを調整すべくベルトの穴の位置を変更することもある。【０００３】
そのようなわずらわしさを解消するため、従来、例えば特許文献１に見られるような、伸縮機能を有するバックルが提案されている。
このバックルは、ベルト２０の一端部に板状フレーム２の一端部を回動自在に配設するとともに、該フレームの他端部裏面にピン７を配設し、ベルトを装着者の腰部に回して他端部を板状フレームの裏面に導き、ベルトの他端部に穿設した複数のピン挿通孔２１にピンを選択的に挿通させることによってベルトを装着させるベルトのバックル１において、ピン７を板状フレーム２に対してベルト２０の長手方向に摺動自在に配設するとともに、ピン７と板状フレーム２との間にスプリング８を配装し、該スプリング８によって、ピン８をベルト２０の締め付け方向に付勢したものである。
【先行技術文献】
【特許文献】
【０００４】
【特許文献１】特開２００９−２６８６５３号公報
【発明の概要】
【発明が解決しようとする課題】
【０００５】
上述した従来のバックルでは、ピン７を板状フレーム２の内部にスライド可能に組み込み、スプリング８もフレーム２の内部に組み込む必要があるため、構造が複雑であるし、ピン７のフレーム２内での円滑なスライド動作すなわち円滑な伸縮動作を確保するのも容易ではないという難点があった。
本発明が解決しようとする課題は、構造を簡素化でき、円滑な伸縮動作も確保しやすいバックルを提供することである。
【課題を解決するための手段】
【０００６】
上記課題を解決するために本発明のバックルは、
ベルトの両端を連結するバックルであって、
プレート状のバックル本体と、
このバックル本体の端部とベルトの端部との間に介装される伸縮部材と、
この伸縮部材のバックル本体側と反対側の端部とベルトの端部とを係脱自在に接続する接続部材と、
を備えていることを特徴とする。
このバックルによれば、プレート状のバックル本体と、このバックル本体の端部とベルトの端部との間に介装される伸縮部材と、この伸縮部材のバックル本体側と反対側の端部とベルトの端部とを係脱自在に接続する接続部材とによって伸縮機能付きバックルを構成することができるので、構造を簡素化でき、かつ円滑な伸縮動作も確保しやすくなる。【０００７】
このバックルにおいては、
前記バックル本体の両端に、前記伸縮部材としての伸縮ベルトがそれぞれ取り付けられるとともに、
前記バックル本体の表面側に取り付けられ、少なくともバックル本体およびその両端部を覆うカバーを備えている構成とすることができる。
このように構成すると、このバックルを全体として薄型に構成できるとともに、伸縮量をバックル本体の両側においてバランス良くとることができ、しかもカバーによってバックル本体およびその両端部を覆うことができるので、外観性を高めることができる。
【図面の簡単な説明】
【０００８】
【図１】本発明に係るバックルの一実施の形態を示す分解斜視図。
【図２】ベルトに接続された同実施の形態を示す図で、（ａ）は平断面図（図（ｂ）におけるａ−ａ断面図、（ｂ）は正面図、（ｃ）は図（ｂ）におけるｃ−ｃ端面図。
【図３】作動説明図で、（ａ）は平断面図、（ｂ）は正面図。
【発明を実施するための形態】
【０００９】
以下、本発明に係るバックルの実施の形態について図面を参照して説明する。なお、各図において、同一部分ないし相当する部分には、同一の符号を付してある。
【００１０】
図１，図２に示すように、この実施の形態のバックル１は、ベルトＢの両端Ｂ１，Ｂ１を連結するバックルである。
このバックル１は、プレート状のバックル本体１０と、このバックル本体１０の端部１１とベルトＢの端部Ｂ１との間に介装される伸縮部材２０と、この伸縮部材２０のバックル本体１０側と反対側の端部２２とベルトＢの端部Ｂ１とを係脱自在に接続する接続部材３０とを備えている。
【００１１】
このバックル１によれば、プレート状のバックル本体１０と、このバックル本体１０の端部１１とベルトＢの端部Ｂ１との間に介装される伸縮部材２０と、この伸縮部材２０のバックル本体１０側と反対側の端部２２とベルトＢの端部Ｂ１とを係脱自在に接続する接続部材３０とによって伸縮機能付きバックルを構成することができるので、構造を簡素化でき、かつ円滑な伸縮動作も確保しやすくなる。
【００１２】
このバックル１は、図示しない使用者の腰部ないし腹部の前に位置させ、腰部ないし腹部に回したベルトＢの端部Ｂ１と伸縮部材２０の端部２２とを接続部材３０で接続することで、使用者の腰部ないし腹部の前に装着される。なお、図において矢印Ｆｒで示す方向が使用者の前方である。
【００１３】
図３はバックルの作動を説明する図である。
同図において、仮想線は例えば食前の伸縮部材２０および接続部材３０の状態を示しており、実線は食後の状態を示している。
例えば食前において、腹囲が比較的小さくなっているときには、仮想線で示すように伸縮部材２０は縮んだ状態（あるいは伸びが僅かな状態）となっているが、例えば食後において腹囲が大きくなると、その分、実線で示すように伸縮部材２０が伸びることとなる。
したがって、腹囲の増減に応じてその都度ベルトの長さを調整すべくベルトの穴の位置を変更するという煩わしい操作が不要となる。
【００１４】
伸縮部材２０としては、適度の弾性および伸縮性が得られる部材であれば適宜の部材を採用することができる。例えば、ゴム紐、ゴムバンド、スプリング、伸縮ベルト等を採用し得る。
この実施の形態では、公知の伸縮ベルト（例えばゴムベルト）を採用した。
伸縮ベルトを用いることで、バックル１全体の厚さ（前後方向の厚さ）を小さくすることが可能となる。
【００１５】
伸縮部材２０は、バックル本体１０の片側にのみ設けることもできるが、この実施の形態では、バックル本体１０の両端に伸縮部材２０をそれぞれ取り付けた。
このように構成すると、伸縮量をバックル本体１０の両側においてバランス良くとることが可能となる。
【００１６】
バックル本体１０には必ずしもカバーを設ける必要は無いが、この実施の形態では、バックル本体１０の表面側（前側）に取り付けられ、少なくともバックル本体１０およびその両端部１１を覆うカバー４０を設けた。
このように構成すると、カバー４０によってバックル本体１０およびその両端部１１を覆うことで、外観性を高めることができる。
カバー４０の表面には種々の装飾を施すことができる。
【００１７】
なお、バックル本体１０の片側にのみ伸縮部材２０を設けた場合には、カバー４０は少なくともバックル本体１０およびバックル本体と伸縮部材２０との接続部を覆う構成とする。
【００１８】
カバー４０は少なくともバックル本体１０およびその両端部１１を覆う大きさとするのが望ましいが、さらに望ましくは、この実施の形態のように、カバー４０は、ベルト長手方向（左右方向）において、収縮時における伸縮部材２０の半分以上を覆う大きさとする。
これによって、外観性をさらに高めることができる。
【００１９】
カバー４０はバックル本体１０に固定してもよく、バックル本体１０に対して必ずしも着脱可能とする必要は無いが、この実施の形態では、カバー４０はバックル本体１０に対して着脱可能に構成した。
【００２０】
このように構成すると、カバー４０を複数種用意しておくことで、Ｔ・Ｐ・Ｏに応じて適切なカバーを選択して装着することが可能となる。
さらに、バックル本体１０、ベルトＢもそれぞれ複数種用意しておけば、Ｔ・Ｐ・Ｏに応じてさらに適切なバックルおよびベルトを装着することが可能となる。
【００２１】
カバー４０をバックル本体１０に対して着脱可能とする構造は適宜の構造を採用し得るが、この実施の形態では、ネジ止めによる構造を採用した。
具体的には、バックル本体１０に穴１２を設け、この穴１２に嵌まる筒状突起４２をカバー４０の背面に設け、筒状突起４２の内周面に雌ネジ４３を設ける。
一方、バックル本体１０の背面側に止め具５０を配置し、止め具５０には、雄ネジ５３を設け、この雄ネジ５３と前記雌ネジ４３とを結合させることで、カバー４０をバックル本体１０に対して着脱可能に締結固定する構造とした。
５４は、止め具５０を回転させるためのコインやドライバーとの係合溝である。
【００２２】
カバー４０には、その上下辺から一体に後方に伸びる覆い片４４，４５を設け、その少なくとも一方が、バックル本体１０の上辺１３または下辺１４に当接することでバックル本体１０とカバー４０との位置決めがなされるようにした。なお、図示のものは、覆い片４４，４５がそれぞれ、バックル本体１０の上辺１３、下辺１４に当接している。
【００２３】
カバー４０の覆い片４４，４５（特に上の覆い片４４）は外部からバックル本体１０およびその両端１１を見えにくくして、外観性を高める役割も果たす。
また、覆い片４４，４５は、その後縁４４ｒ、４５ｒがこのバックルの使用者の腹部ないし腰部に当たることで伸縮部材２０と腹部ないし腰部との間に、ある程度の空間Ｓ（図２）を形成する。この空間Ｓは伸縮部材２０の円滑な伸縮動作の一助となる。
【００２４】
接続部材３０は、ベルトＢの端部Ｂ１と伸縮部材２０の端部２２とを係脱可能に接続できるものであれば適宜の部材（例えばクリップ状のもの）を採用することができる。
この実施の形態では、接続部材３０は、フック（３０）で構成した。
【００２５】
フック３０は、基部３１をリング状に形成し、この基部３１にピン６０を挿通することによって、ピン６０回りに回転可能に構成した。
ピン６０は、伸縮部材２０の端部２２を折り返して逢着（逢着部を符号２３で示す）することにより、伸縮部材２０の端部２２に取り付けられている。
６１はピン６０の両端に設けた抜け止めのフランジ部である。
【００２６】
なお、フック３０とピン６０とを一体に構成することも可能であり、その場合、ピン６０の軸方向への移動は、フック３０と伸縮部材２０（逃がし穴２５の端部）との当接で規制することも可能であるから、フランジ部６１は必ずしも設ける必要は無くなる。
【００２７】
フック３０は、これをピン６０回りに回動させ、先端のフック部３２をベルト端部Ｂ１に設けられているベルト穴Ｂ２に掛けることによって、伸縮部材２０の端部２２とベルトＢの端部Ｂ１とを係脱自在に接続可能である。
【００２８】
バックル本体１０、接続部材３０、カバー４０、止め具５０、ピン６０は、それぞれ適宜の材料、例えば、金属や合成樹脂で作成可能である。
伸縮部材２０は、前述したように、適度の弾性および伸縮性が得られる部材であれば適宜の部材を採用することができ、例えば、ゴム紐、ゴムバンド、スプリング、伸縮ベルト等を採用し得る。
ベルトＢも公知の材料でよく、革、合成皮革等を採用し得る。
【００２９】
バックル本体１０の端部１１と伸縮部材２０の端部２１との結合構造は、公知の適宜の結合構造を採用することができる。バックル本体１０と伸縮部材２０の材料に応じ、例えば、かしめ、溶着、接着、ピン止め、リベット止め、バックル本体端部１１による伸縮部材端部２１の挟圧保持等、公知の結合構造を採用し得る。
【００３０】
以上、本発明の実施の形態について説明したが、本発明は上記の実施の形態に限定されるものではなく、本発明の要旨の範囲内において適宜変形実施可能である。
例えば、カバー４０は、図２（ａ）に仮想線４０’で示すように、前方に膨らむ湾曲形状とすることもできる。
カバー４０の正面視での形状は、矩形に限らず、楕円形や円形等、適宜の形状とすることもできる。
カバー４０とバックル本体１０との位置決めは、バックル本体１０の穴１２を角穴とし、これに嵌まり合う筒状突起４２を角筒状とすることで行っても良い。
ベルト穴Ｂ２は上下に２つ設け、それに応じて、接続部材３０はフック部３２を上下に２つ有するものとしても良い。
【符号の説明】
【００３１】
Ｂ：    ベルト
Ｂ１：  端部
Ｂ２：  穴
１：    バックル
１０：    バックル本体
１１：    端部
２０：    伸縮部材
２１：    バックル本体１０側の端部
２２：    バックル本体１０側の端部と反対側の端部
３０：    接続部材
４０：    カバー
【図１】
2018042504.tif 000003
【図２】
2018042504.tif 000004
【図３】
2018042504.tif 000005
【手続補正書】
【提出日】平成28年11月22日(2016.11.22)
【手続補正１】
【補正対象書類名】特許請求の範囲
【補正対象項目名】全文
【補正方法】変更
【補正の内容】
【特許請求の範囲】
【請求項１】
ベルト（Ｂ）の両端を連結するバックルであって、
バックル本体（１０）と、
このバックル本体（１０）の両端部（１１）（１１）とベルト（Ｂ）の両端部（Ｂ１）（Ｂ１）との間にそれぞれ介装される伸縮部材（２０）と、
この伸縮部材（２０）のバックル本体側と反対側の端部（２２）とベルト（Ｂ）の端部（Ｂ１）とを係脱自在に接続する接続部材（３０）と、
を備えていることを特徴とするバックル。
【請求項２】
請求項１において、
前記バックル本体（１０）の表面側に取り付けられ、少なくともバックル本体（１０）およびその両端部（１１）（１１）を覆うカバー（４０）を備えていることを特徴とするバックル。
【手続補正２】
【補正対象書類名】明細書
【補正対象項目名】０００６
【補正方法】変更
【補正の内容】
【０００６】
上記課題を解決するために本発明のバックルは、
ベルトの両端を連結するバックルであって、
バックル本体と、
このバックル本体の両端部とベルトの両端部との間にそれぞれ介装される伸縮部材と、
この伸縮部材のバックル本体側と反対側の端部とベルトの端部とを係脱自在に接続する接続部材と、
を備えていることを特徴とする。
このバックルによれば、プレート状のバックル本体と、このバックル本体の端部とベルトの端部との間に介装される伸縮部材と、この伸縮部材のバックル本体側と反対側の端部とベルトの端部とを係脱自在に接続する接続部材とによって伸縮機能付きバックルを構成することができるので、構造を簡素化でき、かつ円滑な伸縮動作も確保しやすくなる。
また、前記バックル本体の両端に、前記伸縮部材としての伸縮ベルトがそれぞれ取り付けられるので、バックルを全体として薄型に構成できるとともに、伸縮量をバックル本体の両側においてバランス良くとることができる。
【手続補正３】
【補正対象書類名】明細書
【補正対象項目名】０００７
【補正方法】変更
【補正の内容】
【０００７】
このバックルにおいては、
前記バックル本体の表面側に取り付けられ、少なくともバックル本体およびその両端部を覆うカバーを備えている構成とすることができる。
このように構成すると、カバーによってバックル本体およびその両端部を覆うことができるので、外観性を高めることができる。
【手続補正４】
【補正対象書類名】明細書
【補正対象項目名】００１５
【補正方法】変更
【補正の内容】
【００１５】
伸縮部材２０は、バックル本体１０の両端に伸縮部材２０をそれぞれ取り付けた。
このように構成すると、伸縮量をバックル本体１０の両側においてバランス良くとることが可能となる。
【手続補正５】
【補正対象書類名】明細書
【補正対象項目名】００１７
【補正方法】削除
【補正の内容】
【国際調査報告】
2018042504.tif 000006
2018042504.tif 000007